(57)【要約】  本発明は、デジタル地図の少なくとも１つの部分領域のデジタルモデルを作成および／または更新するためのシステムに関しており、このシステムは、車両側に、デジタル地図の少なくとも１つの部分領域を表す車両側の地図データを備えた車両データベースと、車両周囲データを検出する１つまたは複数のセンサと、車両周囲データから少なくとも１つのスニペットを作成し、地図データにおける対象物と、スニペットにおける対象物との間の差分の形態でイベントが存在する場合に、地図データの部分領域の更新データをスニペットから特定する、ように構成されている１つまたは複数のプロセッサと有しており、システムは、バックエンド側に、デジタルモデルのバックエンド側の地図データを備えたサーバデータバンクと、１つまたは複数の車両から更新データを受信する、ように構成されている送信／受信装置と、更新データを統計的に評価し、統計的な評価に依存してバックエンド側の地図データを更新する、ように構成されている１つまたは複数のプロセッサと、を有する。
2020535468.tif 000002
【特許請求の範囲】
【請求項１】
デジタル地図の少なくとも１つの部分領域のデジタルモデルを作成および／または更新するためのシステムにおいて、前記システムは、車両側に、
前記デジタル地図の少なくとも１つの部分領域を表す車両側の地図データを備えた車両側データベースと、
車両周囲データを検出する１つまたは複数のセンサと、
前記車両周囲データから少なくとも１つのスニペットを作成し、前記地図データにおける対象物と、前記スニペットにおける対象物との間の差分の形態でイベントが存在する場合に、前記デジタル地図の前記部分領域の更新データを前記スニペットから特定する、ように構成されている１つまたは複数のプロセッサと、
前記イベントの空間位置を特定する手段と、
正のトークンまたは負のトークンをバックエンド装置から受信して車両データベースに伝送するように構成されており、さらに、車両側データベースが、前記イベントの前記空間位置に関して標準モードにある場合、または記憶装置に正のトークンが存在する場合に、前記イベントと、対応する空間位置とを有する更新データを前記バックエンドに伝送する、ように構成されている送信および受信装置と、を有しており、
さらに、前記システムは、バックエンド側に、
前記デジタルモデルのバックエンド側の地図データを備えたサーバデータベースと、
１つまたは複数の車両から前記更新データを受信する、ように構成されている送信／受信装置と、
前記更新データを統計的に評価し、前記統計的な評価に依存してバックエンド側の前記地図データを更新し、かつ前記統計的な評価に依存して、特定の個数の正のトークンおよび負のトークンを生成する、ように構成されている１つまたは複数のプロセッサと、を有するバックエンド装置を有しており、
前記送信および受信装置は、さらに、１つまたは複数の車両に前記正のトークンまたは前記負のトークンを伝送する、ように構成されている、デジタル地図の少なくとも１つの部分領域のデジタルモデルを作成および／または更新するためのシステム。
【請求項２】
それぞれの車両の１つまたは複数の前記プロセッサは、さらに、前記更新データを統計的に評価する、ように構成されており、
前記更新データの良度に依存して、前記更新データに信頼度値または統計的なパラメータを対応付け、
それぞれの車両の前記送信／受信装置は、前記更新データに加えて、前記信頼度値または前記統計的なパラメータを、付加データとして、前記バックエンド装置に伝送する、ように構成されている、請求項１記載のシステム。
【請求項３】
前記バックエンド装置の１つまたは複数の前記プロセッサは、前記更新データを伝送した前記車両の個数および／または前記伝送の前記回数に基づいて、前記更新データを統計的に評価し、前記車両の前記個数および／または前記伝送の前記回数に基づいて、前記更新データに信頼度値を対応付ける、ように構成されている、請求項１または２記載のシステム。
【請求項４】
前記バックエンド装置の１つまたは複数の前記プロセッサは、前記更新データを伝送した前記車両の前記個数、および／または前記伝送の前記回数に基づいて、また前記付加データに基づいて、前記更新データを評価する、ように構成されている、請求項３記載のシステム。
【請求項５】
前記バックエンド装置の１つまたは複数の前記プロセッサは、前記更新データが、最小閾値を上回る統計的な有意度を有する場合に正のトークンおよび負のトークンを生成する、ように構成されており、
前記正のトークンおよび前記負のトークンには、少なくとも、関係する前記イベントの前記空間位置と、関係する前記イベントのイベントＩＤとが対応付けられ、
前記バックエンド装置の前記送信／受信装置は、１つまたは複数の車両に前記正のトークンおよび前記負のトークンを伝送する、ように構成されている、請求項１から４までのいずれか１項記載のシステム。
【請求項６】
１つまたは複数の車両側の前記プロセッサは、前記地図データにおける対象物と、前記スニペットにおける対象物との間に負の差分がある場合に、特定の空間位置と、対応付けられているイベントＩＤとを有する前記イベントの削除を検出する、ように構成されており、
車両側の前記送信／受信装置は、車両側の前記記憶装置に負のトークンが存在する場合に、前記更新データの形態で前記バックエンド装置に前記イベントの前記削除を伝達する、ように構成されている、請求項５記載のシステム。
【請求項７】
前記バックエンド装置の１つまたは複数の前記プロセッサは、前記更新データが、最小閾値を上回る統計的な有意度を有する場合に、削除された前記イベントの前記空間位置および前記イベントＩＤについて、車両側の前記データベースを前記標準モードに移行させるメッセージを作成する、ように構成されており、
前記バックエンド装置の前記送信／受信装置は、１つまたは複数の車両に前記メッセージを伝送する、ように構成されている、請求項６記載のシステム。
【請求項８】
１つまたは複数の車両側の前記プロセッサは、前記空間位置および／または前記イベントＩＤについて、正のトークンまたは負のトークンを車両側の前記記憶装置から除去する、ように構成されている、請求項６記載のシステム。
【請求項９】
前記バックエンドの前記送信および受信装置はさらに、前記イベントの空間的な近傍に存在する１つまたは複数の車両に前記正のトークンまたは前記負のトークンを伝送する、ように構成されている、請求項１から８までのいずれか１項記載のシステム。
【請求項１０】
１つまたは複数のバックエンド側の前記プロセッサは、前記更新データが、最小閾値を上回る信頼度値を有する場合に、前記デジタルモデルのバックエンド側の地図データを備えた前記サーバデータベースを前記更新データによって更新する、ように構成されており、
バックエンド側の前記送信／受信装置は、少なくとも、前記イベントに関連する、更新された前記データベースのデータを、前記イベントの空間的な近傍に存在する車両に伝送する、ように構成されている、請求項３から９までのいずれか１項記載のシステム。
【発明の詳細な説明】
【技術分野】
【０００１】
本発明は、運転支援システムの分野に関する。本発明は、特に、車両のセンサによって車道データを検出することと、検出した車道データを車両外部のデータベースに伝送することとに関連する。
【０００２】
技術背景
例えば自動運転または部分的な自動運転用に車道特性についてのデータを、バックエンド装置のデータベースにおいて、最新に維持するためには、データを定期的に最新状態にしなければならない。車道特性の検出は、適切なセンサと、ジオポジションを検出する装置とをそれぞれ装備した、道路を走行する車両によって行うことが可能である。次に、検出したデータは、ＶｔｏＸ通信または移動無線通信を介して、バックエンド装置のデータベースに送信することができ、ここでは、検出したデータがデータセットに整理統合され、このデータセットは、次に、例えばルート計算などのために別の複数の車両に送信することが可能である。複数の車両がバックエンド装置に更新データを伝送する場合、検出したデータは、車両からバックエンド装置への多大なデータトラヒックを生じさせることがある。統計的に有意であり、更新されかつ整理統合されたデータセットがすでにバックエンド装置に存在する場合、これは、通信資源の浪費である。というのは、車両によって検出されたデータをさらに伝送することによっては、整理統合されたデータセットの良度をさらに向上させることはできないからである。
【０００３】
発明の開示
したがって本発明の課題は、信頼性が高くかつ確実に動作する、デジタル地図のデジタルモデルを作成もしくは更新するためのシステムを提供することである。
【０００４】
この課題は、システムについての独立請求項に記載したシステムによって解決される。従属請求項は、特別な実施形態に関する。
【０００５】
一態様は、デジタル地図の少なくとも１つの部分領域のデジタルモデルを作成および／または更新するためのシステムに関しており、ここでは２つの側でのデータ処理が行われる。データ処理の一部は、１つまたは複数の車両において行われる。データ処理の別の一部は、バックエンド装置において行われる。このシステムは、車両側に、車両側の地図データを備えた車両データベースを有しており、車両側の地図データは、バックエンド装置のサーバデータベースにも記憶されているデジタル地図の少なくとも１つの部分領域を表す。さらに、このシステムは、車両側に、車両周囲データを検出する１つまたは複数のセンサと、車両周囲データから少なくとも１つのスニペットを作成する、ように構成されている１つまたは複数のプロセッサとを有する。スニペットとは、車両周囲対象物の対象物データを含む、デジタル地図の部分モデルのことである。これは、例えば１００ｍ×１００ｍの大きさの、例えば一連のカメラ画像から計算される、地図部分のＣＡＤ（computer aided design）モデルであってよい。１つまたは複数のプロセッサは、さらに、地図データにおける対象物と、スニペットにおける対象物との間の差分の形態でイベントが存在する場合に、デジタル地図の部分領域の更新データをスニペットから特定する、ように構成されている。イベントとは、例えば、車道の通行止めまたは一時的に設置された道路標識のような新たに加えられた車両周囲対象物であってよい。車両側には、さらに、例えば車両位置を特定するＧＰＳ受信機、または車両に対してイベントの空間位置を付加的に特定するレーダセンサのような、イベントの空間位置を特定する手段が設けられている。さらに、正のトークンまたは負のトークンをバックエンド装置から受信して車両データベースに伝送するように構成されており、さらに、車両側データベースが、イベントの空間位置に関して標準モードにある場合、または記憶装置に正のトークンが存在する場合に、イベントと、対応する空間位置とを有する更新データをバックエンド装置に伝送する、ように構成されている送信および受信装置が車両側に設けられている。これに対し、負のトークンが存在する場合には、イベントが削除されたときにのみ、更新データがバックエンド装置に伝送される。標準モードは、車両側データベースの一状態に関係し、この状態では、車両の特定の空間位置について、車両によるイベントの最初の検出時に、この車両により、更新データが車両データベースに伝送される。したがって車両データベースの標準モードでは、イベントは、まだバックエンドに存在しない。
【０００６】
このシステムは、バックエンド側にバックエンド装置を有する。このバックエンド装置には、デジタルモデルのバックエンド側の地図データを備えたサーバデータベースと、１つまたは複数の車両から更新データを受信する、ように構成されている送信／受信装置とが含まれている。さらに、バックエンド装置には、更新データを統計的に評価し、この統計的な評価に依存してバックエンド側の地図データを更新し、かつ統計的な評価に依存して、特定の個数の正のトークンおよび負のトークンを生成する、ように構成されている１つまたは複数のプロセッサが設けられている。ここでは、イベントが、別の複数の車両による、十分に大きな回数の確認によって確かめられ、これにより、対応して高い信頼度を有するデータだけが、サーバデータベースに生成されるかもしくは更新される、ように正のトークンの個数を選択可能である。バックエンド装置の送信および受信装置は、さらに、１つまたは複数の車両に正のトークンまたは負のトークンを伝送する、ように構成可能である。
【０００７】
サーバデータベースに格納されるデジタルモデルは、特に、別の周囲要素を備えた高解像度のデジタル地図を有していてよい。このデジタル地図は、少なくとも、道路モデルによって形成され、この道路モデルは、区間およびレーンの経過を表し、かつレーンマークの個数および経過、カーブ半径、傾斜、交差点および類似の特徴についての情報を含む。
【０００８】
このデジタルモデルは、特に、別の静的または動的な周囲要素を含んでいてよい。静的な周囲要素は、車線マークや、例えば停止線、ゼブラゾーン、中央分離帯、車線縁部マークなどのような線マークの位置および種類、また周囲の建造物の有無、ならびにそれらのクラスおよび相対または絶対位置について情報、交通標識の位置および種類についての情報、または灯火信号装置または道路情報板の種類および状態についての情報に関係する。動的な周囲要素は、特に、車両の位置および速度に関係する。周囲要素のそれぞれのパラメータ、特に位置および属性に対し、例えば、交通標識の位置および交通標識の種類に対し、トレーニングフェーズの間に、統計的に有意な測定回数から統計が特定される。この統計は、中央値の周りの測定値の分布を表していてよい。
【０００９】
更新データには、測定回数、すなわち車両による伝送の回数だけに関して、バックエンド装置におけるｐ値を対応付けできるのではなく、この更新データには、車両側においてすでに、例えば、車両周囲データの品質から得ることができる信頼度値または統計的なパラメータを、それらの良度に依存して対応付けることが可能である。したがって、特に、車両周囲データが一連のカメラ画像である場合には、車両周囲データの品質は、霧および強い降雨のような悪い天候条件では、良好な天候条件の場合よりも低くなり得る。それぞれの車両の送信／受信装置は、更新データに加えて、車両側で特定した信頼度値または統計的なパラメータを、付加データとして、バックエンド装置に伝送する、ように構成可能である。
【００１０】
バックエンド装置は、更新データをもっぱら統計的に評価することも可能である。バックエンド装置の１つまたは複数のプロセッサは、更新データを伝送した車両の個数および／または伝送の回数に基づいて、更新データを統計的に評価し、車両の個数および／または伝送の回数に基づいて、更新データに信頼度値を対応付ける、ように構成可能である。
【００１１】
バックエンド装置は、信頼度値を特定する際に、車両側で特定した付加データを一緒に取り入れることが可能である。バックエンド装置の１つまたは複数のプロセッサは、更新データを伝送した車両の個数、および／または伝送の回数に基づいてまた付加データに基づいて、更新データを評価することが可能である。
【００１２】
システムの一態様は、バックエンド装置において正のトークンおよび負のトークンを生成することに関する。バックエンド装置の１つまたは複数のプロセッサは、更新データが、最小閾値を上回る統計的な有意度を有する場合に正のトークンおよび負のトークンを生成する、ように構成可能であり、正のトークンおよび負のトークンには、少なくとも、関係するイベントの空間位置と、関係するイベントのイベントＩＤとが対応付けられる。バックエンド装置の送信／受信装置は、１つまたは複数の車両に、特にブロードキャストを介して、正のトークンおよび負のトークンを伝送する、ように構成可能である。
【００１３】
システムの一態様は、イベントの削除の検出の処理に関する。イベントの削除は、これが統計的に有意であると評価され得る限りにおいて、このイベントについて、すべての正のトークンおよび負のトークンが、すべての車両において消去され、かつ車両データベースが、このイベントについて、すなわち特にその空間位置について標準モードにリセットされる、ことに結び付くべきである。
【００１４】
１つまたは複数の車両側のプロセッサは、地図データにおける対象物と、スニペットにおける対象物との間に負の差分がある場合に、特定の空間位置と、対応付けられているイベントＩＤと有するイベントの削除を検出する、ように構成されている。車両側の送信／受信装置は、車両側の記憶装置に負のトークンが存在する場合に、更新データの形態でバックエンド装置にイベントの削除を伝達する、ように構成可能である。したがって、このイベントについて車両データベースが負のトークンを有する車両だけが、イベントの削除を通知する。
【００１５】
バックエンド装置の１つまたは複数のプロセッサは、更新データが、最小閾値を上回る統計的な有意度を有する場合に、削除されたイベントの空間位置およびイベントＩＤについて、車両側データベースを標準モードに移行させるメッセージを作成する、ように構成可能である。バックエンド装置の送信／受信装置は、１つまたは複数の車両にメッセージを伝送する、ように構成可能である。これにしたがい、１つまたは複数の車両側のプロセッサは、空間位置および／またはイベントＩＤについて、正のトークンまたは負のトークンを車両側の記憶装置から除去し、かつ車両データベースを、削除したイベントについて、標準モードにリセットすることが可能である。
【００１６】
一態様は、車両への正のトークンおよび負のトークンの空間的な分配に関する。バックエンド装置の送信および受信装置は、イベントの空間的な近傍だけに存在する１つまたは複数の車両に正のトークンまたは負のトークンを伝送する、ように構成可能である。
【００１７】
一態様は、更新されたバックエンド側の地図データを車両に分配することに関する。このためにバックエンド側の１つまたは複数のプロセッサは、更新データが、最小閾値を上回る信頼度値を有する場合に、デジタルモデルのバックエンド側の地図データを備えたサーバデータベースを更新データによって更新する、ように構成可能である。バックエンド側の送信／受信装置は、少なくとも、イベントに関連する、更新されたデータベースのデータを、イベントの空間的な近傍に存在する車両に伝送する、ように構成可能である。
【００１８】
以下では、図を参照し、複数の実施例に基づいて本発明を説明する。
【図面の簡単な説明】
【００１９】
【図１】デジタルモデルを作成するためのシステムのブロック図である。
【図２】イベントの発生についてのこの方法の流れ図である。
【図３】イベントの削除についてのこの方法の流れ図である。
【００２０】
詳細な説明
図１は、デジタル地図のデジタルモデルを作成および／または更新するためのシステム１００を示しており、このシステム１００は、バックエンド装置１０２と、センサ１０６を備えた車両１０４とから成り、車両１０４は、２つのレーンマーク１１０、１１２によって画定されておりかつ中央分離帯１１４を有するレーンを移動している。車両１０４は、バックエンド装置１０２に、もしくはバックエンド装置１０２からデータを伝送する送信／受信装置１１６を有する。バックエンド装置１０２も同様に、車両１０４に、もしくは車両１０４からデータを伝送する送信および受信装置１２６を有する。車両１０４に取り付けられている周囲センサ１０６は、カメラとして構成可能であり、また交通標識１０８を含む車両周囲の一連の録画の形態で車両周囲データを検出する。周囲センサは、付加的に、レーダセンサとして形成可能であり、またレーダによって周囲を走査する、ように構成可能である。これにより、レーダセンサ１０６は、付加的に、車両の空間位置に対して周囲要素の、例えば交通標識１０８の位置を特定可能である。ＧＰＳモジュール（図示せず）と関連させることにより、さらに、絶対的な空間位置を特定可能である。車両は、さらに、車両周囲データからスニペットを作成するように構成されているプロセッサ１２０を有する。スニペットは、約１００ｍ×１００ｍの大きさのデジタルモデルの部分であり、実質的に対象物モデリングを表す。車両１０４は、さらに、車両側の複数の地図データを備えた車両データベース１１８を有し、これらの地図データは、デジタル地図の少なくとも１つの部分領域を表す。プロセッサ１２０は、地図データにおける対象物と、スニペットにおける対象物との間に差分の形態でイベントが存在するか否かを確認するために、スニペットと、車両データベース１１８から得られる、対応する車両側の地図データとを比較する、ように構成されている。ここでは、交通標識１０８は、地図データにはまだ存在しないものとする。例えば、この交通標識１０８は、最近設置されたからである。したがって比較により、新たに設置された交通標識１０８がイベントとして発生する。このイベントは、バックエンド装置には、今のところは既知ではない。というのはこのイベントはまだ、通信ネットワークを介してこのバックエンド装置に伝達されていないからである。
【００２１】
車両１０４は、更新データの形態でこのイベントをバックエンド装置１０２に伝送し、このバックエンド装置１０２は、これにより、デジタルモデルのサーバ側の地図データを備えたそのサーバデータベース１２２を更新することができる。このデジタルモデルは、複数の車両から到来し得る複数のスニペットから合成可能である。このデジタルモデルは、パラメタライズ可能な周囲モデルであってもよい。このパラメタライズは、車両の統計的に有意な個数により、学習プロセスの間に行うことが可能である。したがってパラメタライズされた周囲モデルは、バックエンド側の整理統合された車両周囲情報を表す。それぞれの周囲要素は、位置、属性および検出確率について固有の統計を有し得る。バックエンド装置は、プロセッサ１２４を有しており、プロセッサ１２４は、更新データを統計的に評価しかつこの統計的な評価に依存して、サーバデータベース１２２内のバックエンド側の地図データを更新する、ように構成されている。
【００２２】
多数の車両が交通標識１０８を通過すると仮定する。これらの車両のそれぞれは、新たに設置された交通標識１０８をイベントとして検出するため、このイベントが、それぞれの車両により、更新データの形態でバックエンド装置１０２に伝達されることになれば、極めて大きなデータ量が、バックエンド装置１０２に向かってアップリンクで発生することになる。したがって、以下では、図２、３および４を参照して、更新データを伝達するトークンベースのプロトコルを説明する。
【００２３】
図２には、イベントの発生についてのこのプロトコルの流れ図２００が示されている。デフォルトモードでは、デジタル地図の特定の空間領域について、まだイベントは生じていない。車両側データベース２０２には、サーバ側データベース２１４の全体デジタル地図の一部分が含まれている。サーバ側データベース２１４には、周囲モデルが含まれており、特に、別の周囲要素を有する高解像度のデジタル地図が含まれている。デジタル地図は、少なくとも、１つの道路モデルによって形成され、この道路モデルは、区間および車線の経過を表し、かつレーンマークの数および経過、カーブ半径、傾斜、交差点および類似の特徴についての情報を含む。周囲モデルは、特に、別の静的な周囲要素を含んでいてよい。静的な周囲要素は、車線マークや、例えば停止線、ゼブラゾーン、中央分離帯、車線縁部マークなどのような線マークの位置および種類、また周囲の建造物の有無、ならびにそれらのクラスおよび相対または絶対位置についての情報、交通標識の位置および種類についての情報、または灯火信号装置または道路情報板の種類および状態についての情報に関係する。
【００２４】
車両側のセンサにより、車両周囲データが検出される。ステップ２０４を参照されたい。車両周囲データから、１つまたは複数の車両側のプロセッサにより、スニペット２０６が計算される。スニペットには、つい先頃設置された交通標識１０８（図１を参照されたい）が含まれている。比較により、すなわち車両側データベース２０２における対象物と、スニペット２０６における対象物との間で差分形成することにより、交通標識１０８がイベントとして識別される。ステップ２１０では、このイベントについて、すなわちこのイベントが発生した空間領域について、正のトークンが存在するか否かが特定される。車両側データベース２０２がデフォルトモードにある空間領域について、これは、正のトークンが存在するケースである。というのは、デフォルトモードは、正のトークンによってエミュレートされるからである。イベント２０８は、まだサーバ側データベース２１４にないと仮定したため、対応する空間領域について、車両側データベースは、デフォルトモードにある。この場合、イベント２０８は、バックエンド装置に伝送され、受信後にはそこにイベント２１６として存在する。バックエンド側では、このイベントに一意の識別子（ＩＤ）が付され、これにより、このイベントが識別可能である。バックエンド側では、場合によっては異なる複数の車両からのこのイベントの伝送の回数により、このイベントについての信頼度値が特定され、この信頼度値により、特定の個数の正のトークン２２２および負のトークン２２４が生成される。特に、信頼度値が閾値を下回る場合には正のトークンだけが生成され、信頼度値が閾値を上回る場合には負のトークンだけが生成される。車両側データベース２０２がデフォルトモードにないかまたは正のトークンがないとすると、バックエンド装置へのイベントの伝送は行われず、その代わりに車両側データベース２０２が更新されることになる。このイベントについて正のトークンおよび負のトークンが生成されたことにより、車両側データベース２０２は、デフォルトモードからイベントモードに移行し、このイベントモードでは、正のトークンを有する車両だけが、バックエンドにこのイベントを伝送してよいのに対し、負のトークンを有する車両は、バックエンドにこのイベントを伝送してはならない。イベントモードでは、さらに、このイベントが削除された否かが連続してチェックされる。
【００２５】
イベントの削除の場合についてのプロトコルの流れ図が、図３に示されている。車両側データベース３０２には、イベントが、すなわち図１に示した交通標識１０８が存在することが、対象物データの形態で記憶されている。車両側のセンサは、車両周囲データを検出する。ステップ３０４を参照されたい。これらの車両側周囲データからは、１つまたは複数の車両側のプロセッサにより、スニペット３０６が計算される。ここで仮定するのは、スニペットが、交通標識１０８（図１を参照されたい）をもはや含まないことである。というのはこの交通標識１０８が、例えば取り除かれたからである。比較により、すなわち車両側データベース３０２における対象物と、スニペット３０６における対象物との差分形成により、もはや存在しない交通標識１０８は、イベントの削除として識別される。ステップ３０８を参照されたい。ステップ３１０では、このイベントに関して、正のトークンまたは負のトークンが存在するか否かがチェックされる。正のトークンが存在する場合、削除はバックエンドに伝送されず、その代わりに車両側データベース３０２が更新される。これに対して負のトークンが存在する場合、イベントの削除は、バックエンドに伝達され、これは、このバックエンドにおいて、イベントの削除３１６として存在する。バックエンド側では、場合によっては異なる複数の車両からのこのイベントの伝達の回数により、イベントの削除についての信頼度値が特定され、この信頼度値により、特定の個数の負のトークン３２２、または車両側データベース３０２をデフォルトモードにリセットするメッセージが生成される。特に、信頼度値が閾値を下回る場合には負のトークンだけが生成される。これに対し、信頼度値が、閾値を上回る場合には、デフォルトモードについてのメッセージが生成される。ステップ３２０を参照されたい。これによって保証されるのは、イベントの削除が、十分に大きな回数の確認によって信頼に値する場合にのみ、車両側データベース３０２が、このイベントの空間位置についてデフォルトモードに移行することである。この伝送は、ブロードキャストを用いて行うことが可能である。このために、イベントの空間位置は、無線セルにマッピングされ、対応する無線セルにメッセージが伝送される。
【図１】
2020535468.tif 000003
【図２】
2020535468.tif 000004
【図３】
2020535468.tif 000005
【国際調査報告】
2020535468.tif 000006
2020535468.tif 000007
2020535468.tif 000008
2020535468.tif 000009